(57)【特許請求の範囲】
【請求項１】
一対の側面部、前記一対の側面部の間に設けられた下面部及び前記一対の側面部の間に設けられたマチ部とを有し、開口部を介して内部に形成された収納部内に収納物を収納して搬送できるバッグであって、
リュックサックとして形成され、
前記マチ部を形成するマチ部表皮材の内方には前記収納部を画成する内方布材が前記マチ部表皮材から所定間隔を置いて内方に設けられ、前記内方布材と前記マチ部表皮材との間には副収納部が形成されると共に、前記マチ部表皮材には前記マチ部の高さ方向に沿って開口する副開口部が設けられ、
前記マチ部は、前記一対の側面部の側部に夫々設けられた一対の側方マチ部と、前記一対の側面部の上部に設けられた上方マチ部とからなり、
前記内方布材は、前記一対の側面部の幅方向両端部内方において夫々、前記側方マチ部の高さ方向に沿って配設されると共に、前記副開口部は前記マチ部の高さ方向に沿ってスリット状に設けられていると共に前記開口部は、前記上方マチ部及び前記側方マチ部に亘ると共に前記副開口部に隣接して設けられ、前記開口部及び副開口部は線ファスナーにより形成され、
前記線ファスナーはセルフロック式のファスナーであって、副開口部を開放した場合にはスライダーが下端部に配置されると共に、前記副開口部を閉塞した場合にはスライダーが上端部に配置されるように取り付けられ、収納物を、上部が前記副収納部外方に突出した状態で前記副開口部に固定して前記副収納部内に収納することができることを特徴とするバッグ。
【請求項２】
前記副開口部は、前記内方布材の高さ寸法に亘って形成され、前記副開口部は前記マチ部表皮材の下端部に至るまで設けられていることを特徴とする請求項1記載のバッグ。
【請求項３】
前記内方布材は柔軟であって変形可能な素材により形成されていることを特徴とする請求項２記載のバッグ。
【請求項４】
表皮材はポリカーボネートにより形成されていることを特徴とする請求項1記載のバッグ。
【発明の詳細な説明】
【技術分野】
【０００１】
本発明は、物品などを収納するためのバッグの改良に関する。
【背景技術】
【０００２】
バッグとしては、例えば、手提げバッグ、肩掛けバッグ、リュックサックが普及している。何れの種類のバッグにおいても、主収納部のみしか有さないものの他に主収納部のみならず傘や携帯電話等を収納できる副収納部を有するものがある。
【先行技術文献】
【特許文献】
【０００３】
【特許文献１】実開平７−１３２１７号公報
【特許文献２】実開平７−３４７１７号公報
【発明の概要】
【発明が解決しようとする課題】
【０００４】
特許文献１には、外部から直接的に物品の出し入れをすることができる副収納部を備えたハンドバッグが開示されている。
【０００５】
このハンドバッグにおいては、仕切部材と対向する側面部の前後方向における何れか一方の上縁部をバッグ主体と非結合としているので、側面部を変形させることによりバッグ主体に設けられた蓋部材を開くことなく、形成された空隙部を介して副収納部内に眼鏡等を出し入れすることができる。
【０００６】
しかしながら、より小さな小物を収納した場合には、副収納部の奥深くまで手を差し込んで把持しなければ取り出せず、必要に応じて、その都度、蓋部材を開く必要があり煩雑である、という不具合があった。
【０００７】
また、ペットボトル等の所定の幅寸法及び長さ寸法を有する収納物を収納する場合においては蓋部材が邪魔になり容易に収納又は取り出すことができない、という不具合もあった。
【０００８】
また、特許文献２には、外部から直接に携帯電話等を収納することができる開口部を有する副収納部を備えたハンドバッグが開示されている。
【０００９】
このハンドバッグにおいては、一方マチ部よりも他方マチ部は高さ寸法が小さく形成されている。そして、左側面の内側に下縁が底面に固定されない内側側面が設けられ、左側面と内側側面の間に副収納部としてのポケットを形成することができるようになっている。
【００１０】
しかしながら、特許文献１に開示されているハンドバッグと同様に、ポケットに小物を収納した場合には、小さな開口寸法のポケットの奥深くまで手を差し込まなければならず、小物を取り出しにくく、かつ、ペットボトル等の所定の長さ寸法を有する収納物は収納が不可能である、という不具合がある。
【００１１】
そこで、本発明の課題は、バッグのマチ部に高さ方向に沿って設けられた副開口部により副収納部に収納物を容易に収納又は取り出しできるバッグを提供することにある。
【課題を解決するための手段】
【００１２】
請求項１記載の発明に係るバッグにあっては、一対の側面部、前記一対の側面部の間に設けられた下面部及び前記一対の側面部の間に設けられたマチ部とを有し、開口部を介して内部に形成された収納部内に収納物を収納して搬送できるバッグであって、リュックサックとして形成され、前記マチ部を形成するマチ部表皮材の内方には前記収納部を画成する内方布材が前記マチ部表皮材から所定間隔を置いて内方に設けられ、前記内方布材と前記マチ部表皮材との間には副収納部が形成されると共に、前記マチ部表皮材には前記マチ部の高さ方向に沿って開口する副開口部が設けられ、前記マチ部は、前記一対の側面部の側部に夫々設けられた一対の側方マチ部と、前記一対の側面部の上部に設けられた上方マチ部とからなり、前記内方布材は、前記一対の側面部の幅方向両端部内方において夫々、前記側方マチ部の高さ方向に沿って配設されると共に、前記副開口部は前記マチ部の高さ方向に沿ってスリット状に設けられていると共に前記開口部は、前記上方マチ部及び前記側方マチ部に亘ると共に前記副開口部に隣接して設けられ、前記開口部及び副開口部は線ファスナーにより形成され、前記線ファスナーはセルフロック式のファスナーであって、副開口部を開放した場合にはスライダーが下端部に配置されると共に、前記副開口部を閉塞した場合にはスライダーが上端部に配置されるように取り付けられ、収納物を、上部が前記副収納部外方に突出した状態で前記副開口部に固定して前記副収納部内に収納することができることを特徴とする。
【００１３】
従って、請求項１に係る発明によれば、内方布材とマチ部表皮材との間に所定間隔に対応した奥行きを持つ副収納部が形成される。
【００１４】
また、マチ部は、両側方及び上方の三側方に跨り、副収納部は、側方マチ部の高さ方向にも伸長し、副開口部は副収納部の高さ方向に沿ってスリット状に設けられ、開口部は両側方及び上方の三側方に跨り、開口部は両側方においては副開口部に隣接する。
【００１５】
また、前記開口部及び副開口部は線ファスナーにより形成され、前記線ファスナーはセルフロック式のファスナーであって、副開口部を開放した場合にはスライダーが下端部に配置されると共に、前記副開口部を閉塞した場合にはスライダーが上端部に配置されるように取り付けられ、収納物を、上部が前記副収納部外方に突出した状態で前記副開口部に固定して前記副収納部内に収納することができるため、副収納部内に完全に収納しない状態でも収納物を収納固定することができる。
【００１６】
請求項２記載の発明に係るバッグにあっては、前記副開口部は、前記内方布材の高さ寸法に亘って形成され、前記副開口部は前記マチ部表皮材の下端部に至るまで設けられていることを特徴とする。
【００１７】
従って、請求項２に係る発明によれば、前記副開口部は、前記内方部材の高さ寸法に亘って形成されているので、副収納部の高さ方向の全長に亘り副開口部を開くことができると共に、副収納部の高さ方向の下端部まで副開口部を開くことができる。
【００１８】
請求項３記載の発明に係るバッグにあっては、前記内方布材は柔軟であって変形可能な素材により形成されていることを特徴とする。
【００１９】
従って、請求項３に係る発明によれば、副収納部及び主収納部の双方に収納物を収納することもでき、また、内方布材を変形させて副収納部を潰すことにより広げられた主収納部に収納物を収納することもできる。
【００２０】
請求項４記載の発明に係るバッグにあっては、表皮材はポリカーボネートにより形成されていることを特徴とする。
【００２１】
従って、請求項４に係る発明によれば、他の合成樹脂製の表皮材よりも表皮材の剛性は高い。
【発明の効果】
【００２２】
請求項１に係る発明によれば、内方布材とマチ部表皮材との間に所定間隔に対応した奥行きを持つ副収納部が形成され、また、マチ部表皮材にはマチ部の高さ方向に沿って開口する副開口部が設けられているので、副収納部に収納物を容易に収納又は取り出しをすることができるリュックを提供できるという効果を奏することができる。
【００２３】
即ち、請求項１記載の発明にあっては、従来技術とは異なり、マチ部高さ方向に沿って副開口部が設けられていることから、小物や長さ寸法を有する収納物であっても、マチ部表皮材と内方布材との間に形成された副収納部に前記副開口部を介して容易に収納することができると共に、容易に取り出すことが可能になる。
【００２４】
また、請求項１に係る発明によれば、マチ部及び開口部が、両側方及び上方の三側方に跨るので、開口部を三方向に跨って開くことにより、リュックとして形成されたバッグを広げることができ、また、収納部に対して収納物を容易に収納又は取り出しをすることができる上に、上方の開口部のみを開くことにより、収納部に対し収納物を手軽に収納又は取り出しをすることができるという効果を奏することができる。
【００２５】
また、請求項１に係る発明によれば、副収納部は、側方マチ部の高さ方向にも伸長するので、副収納部に傘やペットボトルなどの長尺の収納物を高さ方向に沿って容易に収納及び取り出しをすることができるという効果を奏することができる。
【００２６】
更に、請求項１に係る発明によれば、副開口部は副収納部の高さ方向に沿ってスリット状に設けられるので、副収納部に対して長尺の収容物を容易に収納又は取り出しをすることができるという効果を奏することができる。
【００２７】
更に、請求項１に係る発明によれば、開口部は両側方においては副開口部に隣接するので、副開口部のみならず開口部を介しても副収納部に対して収納物を容易に収納又は取り出しをすることができるという効果を奏することができる。  
【００２８】
また、請求項１に係る発明によれば、請求項１に係る発明の効果に加えて、ファスナー部を閉じることにより副収納部内部にある収納物が外部に出てしまうことを確実に防止することができるので、安全に収納物を収納したり運んだりすることができるという効果を奏することができる。
【００２９】
請求項１に係る発明によれば、前記内方部材の高さ寸法に亘って形成され、前記副開口部は前記マチ部表皮材の下端部に至るまで設けられていることから、副収納部の高さ方向の全長に亘り副開口部を開くことができ、副収納部への収納物の出し入れを容易に行うことができる。
【００３０】
特に、収納物が小物であった場合であっても、従来技術におけるように開口部が小さく収納部の奥まで手を差し込まねばならない、という事情はないことから、容易に出し入れが可能となる。
【００３１】
また、副開口部は副収納部の高さ方向の全域に亘って開口するように構成されていることから、長尺物であっても副開口部へ収納できる収納物であれば容易に収納及び取り出しが可能となる。
【００３２】
さらに、請求項1記載の発明にあっては、前記開口部及び副開口部は線ファスナーにより形成され、前記線ファスナーはセルフロック式のファスナーであって、副開口部を開放した場合にはスライダーが下端部に配置されると共に、前記副開口部を閉塞した場合にはスライダーが上端部に配置されるように取り付けられ、収納物を、上部が前記副収納部外方に突出した状態で前記副開口部に固定して前記副収納部内に収納することができるため、副収納部内に完全に収納しない状態でも収納物を収納固定することができる。
【００３３】
その結果、副収納部よりも大きな高さ寸法を有する傘や、やや長尺の収納物であっても、下部を副開口部から副収納部内へ収納すると共に副開口部にとりつけられたセルフロック式のファスナーで閉止することにより、副収納部内に入りきらない長さの収納物を固定した状態で搬送することができる。
【００３４】
請求項２に係る発明によれば、副収納部に収納可能な大きさの収納物であれば、収納物の形態、大きさにかかわらず副収納部へ収納することができる。
【００３５】
また、副収納部及び主収納部の双方に収納物を収納することもでき、また、内方布材を変形させて副収納部を潰すことにより広げられた主収納部に収納物を収納することもできる。
【００３６】
また、請求項３に係る発明によれば、副収納部及び副収納部以外の部分である主収納部の双方に収納物を収納することもでき、内方布材を変形させて副収納部を潰すことにより広げられた主収納部のみに収納物を収納することもできるので、様々な収納の仕方を実現することができる。
【００３７】
請求項４に係る発明によれば、請求項１に係る発明の効果に加えて、ポリカーボネートはポリプロピレン、ポリエチレン等の合成皮革素材よりも剛性が高く、特に、対候性に優れることから、長年の使用によっても表皮材が劣化することがなく、耐用年数の長い高品質なバッグを提供することが可能となるという効果を奏することができる。
【図面の簡単な説明】
【００３８】
【図１】本発明の実施の形態によるリュックサックの右斜め後方から見た斜視図である。
【図２】本発明の実施の形態によるリュックサックの右斜め前方から見た斜視図である。
【図３】本発明の実施の形態によるリュックサックの右側面図であり、主ファスナー部が閉じ、副ファスナー部も閉じた状態を示す図である。
【図４】本発明の実施の形態によるリュックサックの右側面図であり、主ファスナー部が開き、副ファスナー部も開いた状態を示す図である。
【図５】本発明の実施の形態によるリュックサックの右側面図であり、主ファスナー部が閉じ、半分開いた副ファスナー部を介して副収納部に折畳傘が挿入されている状態を示す図である。
【発明を実施するための形態】
【００３９】
以下、図面を参照して本発明を実施するための形態について詳細に説明する。
【００４０】
図１乃至図４を参照すると、本発明の実施の形態によるリュックサック１０は、前方側面部１１（図２）及び後方側面部１２（図１）を備える。前方側面部１１は、リュックサック１０を利用者が背負ったときに利用者の背中に当たる面を有する。後方側面部１２は、リュックサック１０を利用者が背負った時に利用者の背面側から見える面を有する。前方側面部１１及び後方側面部１２は、一対の側面部を構成する。
【００４１】
リュックサック１０は、一対の側面部１１、１２に間に設けられた下面部１３及び一対の側面部１１、１２の間に設けられたマチ部１４を更に備える。
【００４２】
下面部１３は、リュックサック１０を利用者が背負った時に、地面や床に対向する面を有する。
【００４３】
マチ部１４は、一対の側面部１１、１２の側部に夫々設けられた一対の側方マチ部１４２及び一対の側面部１１、１２の上部に設けられた上方マチ部１４３を備える。
【００４４】
リュックサック１０には開口部１５（図４）が設けられている。リュックサック１０の内部に形成された主収納部１６内に開口部１５を介して収納物を収納することができる。そして、利用者がリュックサック１０を背負って移動することにより収納物を搬送することができる。
【００４５】
側方マチ部１４２を形成するマチ部表皮材１４１の内方には主収納部１６を画成する内方布材１７がマチ部表皮材１４１から所定間隔を置いて内方に設けられ、内方布材１７とマチ部表皮材１４１との間には副収納部１８が形成されている。
【００４６】
本実施の形態に係るリュックサック１０にあっては、側面部１１、１２の両側方において、夫々、副収納部１８が形成されている。
【００４７】
マチ部表皮材１４１にはマチ部の高さ方向に沿って開口する副開口部１９が設けられている。
【００４８】
本実施形態にあっては、内方布材１７は、一対の側面部１１、１２の幅方向両端部２０内方において夫々、側方マチ部１４２の高さ方向に沿って配設されており、本実施の形態にあっては、図４に示すように、側方マチ部１４２の高さ寸法の約３/４の高さ寸法に亘って設けられている。
【００４９】
副開口部１９は、マチ部１４の高さ方向に沿ってスリット状に設けられている。
【００５０】
開口部１５は、上方マチ部１４３及び側方マチ部（１４２）に亘って設けられ、副開口部１９がある領域においては副開口部１９に隣接して設けられている。
【００５１】
図４に示すように、副開口部１９は、内方部材１７の高さ寸法に亘って形成され、副開口部１９の長さ寸法は内方布材１７の高さ寸法よりもやや大きく形成されていると共に、副開口部１９は、マチ部表皮材１４１の下端部１４４に至るまで設けられている。
【００５２】
開口部１５は、ファスナー部（主ファスナー）１５１により開閉可能に形成されている。
また、副開口部１９は、ファスナー部（副ファスナー）１９１により開閉可能に形成されている。
本実施の形態にあっては、主ファスナー１５１及び副ファスナー１９１は、セルフロックタイプのファスナーにより構成されている。従って、使用者は、主ファスナー１５１及び副ファスナー１９１を所望の位置において、適宜、しっかりと固定することができるため、使用者の動作等やリュックサック１０の持ち運び動作等により主ファスナー１５１又は副ファスナー１９１が勝手に移動し、開口部が開き、収納物が脱落する、という事態を有効に防止することができる。
また、主ファスナー１５１及び副ファスナー１９１を開口部１５及び１９の中途位置において適宜固定した状態で停止させることもでき、様々な自由な使用態様を確保することができる。
【００５３】
内方布材１７は、柔軟であって変形可能な素材、例えば、ポリプロピレン等により形成されている。また、表皮材はポリカーボネートにより形成されている。
【００５４】
図２に示すように、リュックサック１０は、リュックサック１０として機能するために左肩側背負紐２１及び右肩側背負紐２２よりなる一対の背負紐を備えている。この一対の背負紐２１、２２は、中間部において相互にクロスするようにリュックサック１０の本体に取り付けられている。
【００５５】
すなわち、左肩側背負紐２１の上端部は、前方側面部１１の上端中央から所定距離だけ左側（図中右側）に離間した位置に設けられた左上側背負紐取付部２３に取り付けられる。また、右肩側背負紐２２の上端部は、前方側面部１１の上端中央から所定距離だけ右側（図中左側）に離間した位置に設けられた右上側背負紐取付部２４に取り付けられる。
【００５６】
他方で、左肩側背負紐２１の下端部は、前方側面部１１の右下端（図中左端）に設けられた右下側背負紐取付部２５に取り付けられる。また、右肩側背負紐２２の下端部は、前方側面部１１の左下端（図中右端）に設けられた左下側背負紐取付部２６に取り付けられる。
【００５７】
以上の構成により、歩行時の振動などがあっても一対の背負紐２１、２２の肩付近の部分は首に向かう方向に移動するため、一対の背負紐２１、２２が肩からずれ落ちることを防止することができる。
【００５８】
次に、本実施の形態に係るリュックサック１０の作用についての説明をする。
本実施の形態に係るリュックサック１０を使用する場合、まず、主ファスナー部１５１を開放することにより、主収納部１６内へ、リュックサック１０に収納して搬送する本来の収納物を主収納部１６内へ収納して搬送することができる。
【００５９】
また、携帯電話等の小物等の副収納物は、別個に副収納部１８内に収納することができる。この場合、本実施の形態に係るリュックサック１０にあっては、内方布材１７とマチ部表皮材１４１との間に所定間隔に対応した奥行きを持つ副収納部１８が形成され、また、マチ部表皮材１４１にはマチ部１４の高さ方向に沿って開口する副開口部１９が設けられているので、副開口部18を介して副収納部１８に収納物を容易に副収納物を収納又は取り出しをすることができる。
【００６０】
更に、図４に示すように、副収納部１８は、幅方向においては内方布材１７により画成されているが、高さ方向においては主収納部１６の高さと同一に形成されていることから、主収納部１６内に収納可能な高さ寸法を有する収納物であれば、所定の長尺の収納物であっても収納することができる。
このような長尺の収納物を取り出す場合には、主収納部１６の主ファスナー１５１を開放することにより取り出すことができる。
【００６１】
また、本実施の形態にあっては、副ファスナー１９１はセルフロック式のファスナーにより構成されている。図５は、副収納部１８内に折畳傘２７を収納した場合を示す。
折畳傘２７は上記のように副開口部１９を介して副収納部１８内に収納することもできるが、副開口部１９から取り出したい場合には、図５に示すように、副ファスナー１９１により下方から閉じていき、折畳傘２７を固定した状態で保持することもできる。
この場合、本実施の形態にあっては、副ファスナー１９１はセルフロックタイプのファスナーにより構成されていることから、折畳傘２７を副ファスナー１９１により下方から締め付けた状態位置において副ファスナー１９１により折畳傘２７を固定することが可能となる。
【００６２】
更に、開口部１５は両側方においては副開口部１９に隣接するので、上記のように、副開口部１９のみならず開口部１５を介しても副収納部１８に対して収納物を容易に収納又は取り出しをすることができる。従って、例えば、副開口部１９を介して副収納部１８に対して出し入れすることができないほど長尺の収容物（すなわち、副収納部１８の高さを超えるほど長尺の収容物）を開口部１５を介して副収納部１８に対して出し入れすることができる。
【００６３】
更に、副開口部１９の長さ寸法は内方布材の高さ寸法よりもやや大きく形成されているので、副収納部１８の高さ方向の全長に亘り副開口部１９を開くことができる。従って、例えば、副収納部に収納可能な長尺物を副開口部１９を全開にして横方向からそのまま収容物を副収納部１８に対して出し入れすることもできる。
【００６４】
また、副収納部１８の高さ方向の下端部まで副開口部１９を開くことができることから、小型の収納物を収納した場合で副収納部１８の底部付近に収納されている場合、底部付近から取り出したりすることが容易である。
【００６５】
前記内方布材１７は柔軟であって変形可能な素材により形成されていることから、内方布材１７は副収納物又は主収納物の形状によっても、適宜変化することができ、収納物の形態や収納量に対して柔軟に対応することができる。
【００６６】
即ち、副収納部１８及び副収納部１８以外の部分である主収納部の双方に収納物を収納することもでき、また、内方布材１７を変形させて副収納部を潰すことにより広げられた主収納部のみに収納物を収納することもできるので、多目的にバッグを利用することができるという効果を奏することができる。つまり、バッグ１０を主収納部１６のみを備えるバッグとして使用することもできるし、主収納部１６及び副収納部１８の双方を備えるバッグとして使用することもできる。
【００６７】
また、本実施の形態に係るリュックサック１０の表皮材はポリカーボネート製であって、ポリプロピレン、ポリエチレン等の合成皮革素材よりも剛性が高く、特に、対候性に優れることから、長年の使用によっても表皮材が劣化することがなく、耐用年数の長い高品質なバッグを提供することが可能となる。
【００６８】
上記の実施の形態ではバッグの例としてリュックサックの説明をしたが、本発明は、手提げバッグ、肩掛けバッグなどの他の種類のバッグにも適用することができる。
【００６９】
本実施の形態に係るリュックサック１０にあっては、側面部１１、１２の両側方において、夫々、副収納部１８が形成されている場合を例に説明したが、本実施の形態に限定されず、一方のみに形成してもよい。
【産業上の利用可能性】
【００７０】
本発明は、バッグに利用することができることから、広く産業上の利用可能性を有している。
【符号の説明】
【００７１】
１０    バッグ（リュックサック）
１１、１２  一対の側面部（前方側面部、後方側面部）
１３    下面部
１４    マチ部
１４１  マチ部表皮材
１４２  側方マチ部
１４３  上方マチ部
１４４  下端部
１５    開口部
１５１  ファスナー部（主ファスナー部）
１６    主収納部
１７    内方布材
１８    副収納部
１９    副開口部
１９１  ファスナー部（副ファスナー部）
２０    幅方向両端部
２１、２２    一対の背負紐（左肩側背負紐、右肩側背負紐）
２３    左上側背負紐取付部
２４    右上側背負紐取付部
２５    左下側背負紐取付部
２６    右下側背負紐取付部
２７    折畳傘
【要約】
【課題】バッグのマチ部に高さ方向に沿って設けられた副開口部により副収納部に収納物を容易に収納又は取り出しできるバッグを提供する。
【解決手段】一対の側面部、前記一対の側面部の間に設けられた下面部及び前記一対の側面部の間に設けられたマチ部とを有し、開口部を介して内部に形成された収納部内に収納物を収納して搬送できるバッグであって、前記マチ部を形成するマチ部表皮材の内方には前記収納部を画成する内方布材が前記マチ部表皮材から所定間隔を置いて内方に設けられ、前記内方布材と前記マチ部表皮材との間には副収納部が形成されると共に、前記マチ部表皮材には前記マチ部の高さ方向に沿って開口する副開口部が設けられている。
【選択図】図４【図１】
0006854367.tif 000002
【図２】
0006854367.tif 000003
【図３】
0006854367.tif 000004
【図４】
0006854367.tif 000005
【図５】
0006854367.tif 000006